(57)【特許請求の範囲】
【請求項１】
基端側で連結された一対の腕部がその基端連結部付近を変形させることにより開閉するように形成されたクリップと、上記クリップの基端連結部付近に係合することにより上記腕部を閉じた状態に維持するクリップ閉じリングとがシースの先端付近に上記シースから離脱可能に配置され、上記クリップの基端連結部付近に係合していない状態の上記クリップ閉じリングを上記シースの基端側からの遠隔操作によって上記クリップの基端連結部付近に係合させる操作動作伝達部材が上記シース内に挿通配置された内視鏡用クリップ装置において、
上記クリップ閉じリングが上記クリップに係合した状態になったときに、その係合が解けるのを、上記クリップを開くことなく阻止する逆止ストッパが、上記クリップの基端連結部に設けられ、
上記逆止ストッパは、上記クリップの基端連結部から弾力的に広がる板バネ状部材であって、上記クリップ閉じリング内を通過して弾力的に広がることにより上記クリップ閉じリング内に戻れない状態になる
ことを特徴とする内視鏡用クリップ装置。
【請求項２】
上記シースの先端には、上記クリップ閉じリングの基端部分が係脱自在に嵌め込まれるリング受け部材が設けられていて、上記リング受け部材の内径が、上記クリップ閉じリングの基端より後方位置においては上記クリップ閉じリングの内径より大きく形成されている請求項１記載の内視鏡用クリップ装置。
【発明の詳細な説明】
【０００１】
【発明の属する技術分野】
この発明は、内視鏡の処置具挿通チャンネルに通して使用されて、体内の止血、結紮或いはマーキング等を行うために用いられる内視鏡用クリップ装置に関する。
【０００２】
【従来の技術】
内視鏡用クリップ装置は一般に、クリップの一対の腕部が基端側で連結されていて、その基端連結部付近を変形させることにより腕部が開閉するようになっている。
【０００３】
また、クリップの基端連結部付近に係合することによりクリップの腕部を閉じた状態に維持するクリップ閉じリングが設けられていて、そのクリップ閉じリングとクリップとがシースの先端付近にシースから離脱可能に配置されている。
【０００４】
そして、シース内に挿通配置された操作動作伝達部材をシースの基端側から操作することによって、クリップの基端連結部付近に係合していない状態のクリップ閉じリングをクリップの基端連結部付近に係合させて、患部粘膜等を挟み付ける状態にクリップを留置させることができるようになっている。
【０００５】
【発明が解決しようとする課題】
上述のように構成された従来の内視鏡用クリップ装置においては、クリップ閉じリングによって閉じられた状態の留置中のクリップに外力が加わると、クリップからクリップ閉じリングが外れ、その結果、クリップが粘膜から脱落してしまうことが珍しくなかった。
【０００６】
そこで本発明は、留置状態のクリップからクリップ閉じリングが外れ難くて、優れた留置性を得ることができる内視鏡用クリップ装置を提供することを目的とする。
【０００７】
【課題を解決するための手段】
上記の目的を達成するため、本発明の内視鏡用クリップ装置は、基端側で連結された一対の腕部がその基端連結部付近を変形させることにより開閉するように形成されたクリップと、クリップの基端連結部付近に係合することにより腕部を閉じた状態に維持するクリップ閉じリングとがシースの先端付近にシースから離脱可能に配置され、クリップの基端連結部付近に係合していない状態のクリップ閉じリングをシースの基端側からの遠隔操作によってクリップの基端連結部付近に係合させる操作動作伝達部材がシース内に挿通配置された内視鏡用クリップ装置において、クリップ閉じリングがクリップに係合した状態になったときにその係合が解けるのを阻止する逆止ストッパを、クリップの基端連結部に設けたものである。
【０００８】
なお、逆止ストッパが、クリップの基端連結部から弾力的に広がる板バネ状部材であってもよい。
【０００９】
【発明の実施の形態】
図面を参照して本発明の実施例を説明する。
図３は内視鏡用クリップ装置の全体構成を示しており、例えば四フッ化エチレン樹脂チューブ等からなる可撓性のシース１の先端部分にクリップ２が配置されている。
【００１０】
図３においては、クリップ２は基端寄りの部分がシース１の先端内に収容されていて、開いた状態の一対の腕部２ａとその各先端に内方に向かって突出形成された爪状部２ｂとが見えている。
【００１１】
シース１の基端に連結された操作部２０は、端部に指掛け２３ａが取り付けられた本体軸２３にスライダー２２がスライド自在に取り付けられ、シース１の基端筒状体２１が本体軸２３及びスライダー２２に対して独立してスライド自在に配置されて構成されている。
【００１２】
図１はシース１の先端部分を拡大して示しており、この図においては、外力が加わっていない時の自然状態（即ち、一対の腕部２ａが平行な状態）になったクリップ２が、ほぼ完全にシース１内に引き込まれている。
【００１３】
クリップ２は、例えばバネ用ステンレス鋼板等を曲げて一つながりに形成されていて、一対の腕部２ａの各先端部分から爪状部２ｂが内方に折れ曲がって突出形成されている。
【００１４】
一対の腕部２ａの基端側は、ほぼ３６０°の環状に形成された基端連結部２ｃにより連結された構成になっており、基端連結部２ｃを変形させることによって腕部２ａが開閉する。
【００１５】
そして、操作部２０に配置された前述のスライダー２２によって軸線方向に進退操作される操作ワイヤ３が軸線方向に進退自在にシース１の軸線位置に配置されていて、その先端には、クリップ２に対して係脱させることができるクリップ連結フック４がつなぎ部材５を介して取り付けられている。
【００１６】
クリップ連結フック４は、図２に示されるように、コの字状に形成された先端部分がクリップ２の基端連結部２ｃに係合することによりクリップ２と連結するようになっている。したがって、操作ワイヤ３を少し大きく前方に送り出すことにより、クリップ２に対するクリップ連結フック４の係合を外すことができる。
【００１７】
図１に戻って、シース１の先端内には、クリップ２の基端連結部２ｃを変形させるための短筒状のクリップ閉じリング６が配置されており、クリップ２の基端連結部２ｃが、クリップ閉じリング６内に引き込まれることにより変形する。
【００１８】
クリップ閉じリング６の基端部分が係脱自在に嵌め込まれたリング受け部材８は、操作部２０の本体軸２３に連結された例えばステンレス鋼線材の密巻コイルからなるリング押出コイル７の先端に固着されている。
【００１９】
板バネ状部材によって一つながりに形成されたクリップ２には、クリップ２の基端連結部２ｃから弾力的に広がることにより、クリップ閉じリング６がクリップ２に係合した状態になったときにクリップ閉じリング６がクリップ２から離脱するのを阻止する状態になる逆止ストッパ２ｅが、外方に向けて突出形成されている。
【００２０】
このように構成された内視鏡用クリップ装置においては、図示されていない内視鏡の処置具挿通チャンネルにシース１を通し、クリップ２がシース１の先端から前方に出た状態にして、クリップ閉じリング６を操作部２０側から押し出す（又は、操作ワイヤ３を操作部２０側から牽引する）。
【００２１】
すると、まず図４に示されるように、クリップ２の基端連結部２ｃがクリップ閉じリング６内に引き込まれた状態になって変形することにより、一対の腕部２ａが開いた状態に変化する。このとき逆止ストッパ２ｅは、クリップ閉じリング６内に挿入された状態になり、窄まった状態に弾性変形する。
【００２２】
その状態で一対の腕部２ａの間に患部を位置させ、クリップ閉じリング６を操作部２０側から押し出すと、図５に示されるように、基端連結部２ｃがさらに変形すると同時にクリップ閉じリング６の先端がクリップ２の一対の腕部２ａを背側から押し、それによって一対の腕部２ａが平行に閉じた状態になり、爪状部２ｂが患部１００の粘膜に突き刺さる状態になる。
【００２３】
そこで、クリップ連結フック４をクリップ２から外して、シース１側の部分全体を手元側に引き去ることにより、図６に示されるように、クリップ閉じリング６と共にクリップ２が患部１００の粘膜に食い付いた状態に留置される。
【００２４】
この留置状態においては、逆止ストッパ２ｅがクリップ閉じリング６内を通過してクリップ閉じリング６の裏側で広がった状態に戻り、クリップ２に対してクリップ閉じリング６が退避するのを阻止するので、外力が作用してもクリップ２に対するクリップ閉じリング６の係合が解けず、したがって、クリップ２が患部１００から簡単に脱落しない。
【００２５】
【発明の効果】
本発明によれば、クリップ閉じリングがクリップに係合した状態になると、逆止ストッパによりその係合が外れないように規制され、クリップが閉じた状態が保持されるので、留置中のクリップが外力等の作用によって患部から簡単に脱落せず、優れた留置性を得ることができる。
【図面の簡単な説明】
【図１】本発明の実施例の内視鏡用クリップ装置の先端部分の側面断面図である。
【図２】本発明の実施例のクリップとクリップ連結フックとの連結部付近を示す部分斜視図である。
【図３】本発明の実施例の内視鏡用クリップ装置の全体構成を示す外観図である。
【図４】本発明の実施例の内視鏡用クリップ装置のクリップの開閉動作における開状態を示す側面断面図である。
【図５】本発明の実施例の内視鏡用クリップ装置のクリップの開閉動作における閉状態を示す側面断面図である。
【図６】本発明の実施例の内視鏡用クリップ装置のクリップの留置状態を示す側面断面図である。
【符号の説明】
１  シース
２  クリップ
２ａ  腕部
２ｃ  基端連結部
２ｅ  逆止ストッパ
３  操作ワイヤ（操作動作伝達部材）
４  クリップ連結フック
６  クリップ閉じリング
７  リング押出コイル（操作動作伝達部材）
２０  操作部
【図１】
0004102038.tif 000002
【図２】
0004102038.tif 000003
【図３】
0004102038.tif 000004
【図４】
0004102038.tif 000005
【図５】
0004102038.tif 000006
【図６】
0004102038.tif 000007